(57)【特許請求の範囲】
【請求項１】
鍵盤シャーシと、
後端部が屈曲部を介して前記鍵盤シャーシに固定され、当該屈曲部の屈曲により上下方向に回転可能に取り付けられるとともに、下側に突出して設けられたハンマー押圧部を有する鍵と、
前記鍵盤シャーシに設けられた支持軸に回転可能に取り付けられるとともに、前記ハンマー押圧部と当接する鍵当接部を前部に設けたハンマー部材と、
前記鍵の前記屈曲部よりも前記鍵の前側に位置する箇所の前記鍵の下部に設けられ、その下端部が前記鍵盤シャーシに対して摺動可能に当接して支持された第１支持部と、
前記鍵の上部に前記第１支持部と対応して設けられ、その上端部が前記鍵盤シャーシに対して摺動可能に当接して保持された第２支持部と、
前記鍵盤シャーシの上面に設けられ、前記第１支持部の下端部が摺動可能状態で当接する第１受け部と、
前記鍵盤シャーシに取り付けられた上部ケースの前部内面に設けられ、前記第２支持部の上端部が摺動可能な状態で当接する第２受け部と、
前記ハンマー押圧部が前記ハンマー部材の前記鍵当接部に当接する箇所よりも前記鍵の前部が押鍵された場合、前記ハンマー押圧部が前記鍵当接部に当接する箇所を支点として前記鍵の後部が押し上げられ、前記第２支持部の上端部が前記第２受け部に押し付けられた状態で、前記屈曲部が屈曲しながら前記第２支持部の上端部を中心に鍵が回転し、
前記ハンマー押圧部が前記ハンマー部材の鍵当接部に当接する箇所よりも前記鍵の後部が押鍵された場合、前記ハンマー押圧部が前記鍵当接部に当接する箇所を支点として前記鍵の後部が押し下げられ、前記第１支持部の下端部が前記第１受け部に押し付けられた状態で、前記屈曲部が屈曲しながら前記第１支持部の下端部を中心に鍵が回転することを特徴とする鍵盤装置。
【請求項２】
鍵盤シャーシと、 後端部が屈曲部を介して前記鍵盤シャーシに固定され、当該屈曲部の屈曲により上下方向に回転可能に取り付けられるとともに、下側に突出して設けられたハンマー押圧部を有する鍵と、 前記鍵盤シャーシに設けられた支持軸に回転可能に取り付けられるとともに、前記ハンマー押圧部と当接する鍵当接部を前部に設けたハンマー部材と、 前記鍵盤シャーシの鍵搭載部と立下り部とに跨る箇所に設けられた開口部内に、前記鍵の前後方向と直交する方向に沿って設けられた軸部と、 前記屈曲部よりも前記鍵の前側に位置し、前記屈曲部の前端部に位置する前記鍵の下面に下側に向けて突出して設けられ、前記下側に突出した部分の下部に軸挿入溝が後方に開放されて設けられたフック部と、を備え、 前記軸部を回転可能な状態で、前記挿入溝に挿入させることにより、 前記ハンマー押圧部が前記鍵当接部に当接する箇所よりも前記鍵の前側が押鍵操作されて、前記ハンマー押圧部が前記鍵当接部に当接する箇所を支点として、当該鍵の後部が押し上げられた場合、及び前記ハンマー押圧部が前記鍵当接部に当接する箇所よりも当該鍵の後側が押鍵操作されて、前記ハンマー押圧部が前記鍵当接部に当接する箇所を支点として、前記鍵の後部が押し下げられた場合のいずれでも、前記鍵は前記軸部を中心に回転することを特徴とする鍵盤装置。
【発明の詳細な説明】
【技術分野】
【０００１】
この発明は、電子ピアノや電子オルガンなどの鍵盤楽器に用いられる鍵盤装置に関する。
【背景技術】
【０００２】
従来、電子ピアノなどの鍵盤装置においては、特許文献１に記載されているように、上下方向に屈曲する肉厚の薄い屈曲部が設けられた鍵を、鍵盤シャーシ上に屈曲部の屈曲により上下方向に回転可能に設けると共に、この鍵盤シャーシに鍵の押鍵操作に伴って鍵にアクション荷重を付与するハンマー部材を回転可能に設けた構成のものが知られている。
【先行技術文献】
【特許文献】
【０００３】
【特許文献１】特開平０５−１１７４７号公報
【０００４】
この種の鍵盤装置では、鍵を押鍵操作する際に、鍵の前部を押鍵すると、鍵がハンマー部材に当接する箇所を支点として、鍵が後部上がりに回転するため、屈曲部が鍵によって押し上げられるように屈曲する。また、鍵の後部を押鍵すると、鍵がハンマー部材に当接する箇所を支点として、鍵が後部下がりに回転するため、屈曲部が鍵によって押し下げられるように屈曲する。このため、屈曲部は、鍵の押鍵位置に応じて上下方向に大きく屈曲することになり、屈曲部に対する応力集中が繰り返されると、屈曲部が破損するという問題がある。
【０００５】
そこで、このような従来の鍵盤装置においては、鍵に設けられた肉厚の薄い屈曲部の破損を防ぐため、屈曲部の前側に位置する鍵の箇所に、屈曲部の上方への弾性変形を規制する上側変形規制部と屈曲部の下方への弾性変形を規制する下側変形規制部とを設けた構成になっている。この場合、上側変形規制部と下側変形規制部とは、それぞれ鍵盤シャーシに当接する箇所が鍵の前後方向にずれた状態で、鍵に設けられている。
【０００６】
このような鍵盤装置では、鍵の前部を押鍵操作すると、ハンマー部材が鍵に当接する箇所を支点として鍵の後部が押し上げられるので、鍵の上側変形規制部が鍵盤シャーシの下面に当接して屈曲部の上側への弾性変形を規制する。また、鍵の後部を押鍵操作すると、ハンマー部材が鍵に当接する箇所を支点として鍵の後部が押し下げられるので、鍵の下側変形規制部が鍵盤シャーシの上面に当接して屈曲部の下側への弾性変形を規制する。これにより、屈曲部の破損を防いでいる。
【発明の概要】
【発明が解決しようとする課題】
【０００７】
しかしながら、このような従来の鍵盤装置では、鍵の前部を押鍵した際に鍵の上側変形規制部が鍵盤シャーシの下面に当接する箇所と、鍵の後部を押鍵した際に鍵の下側変形規制部が鍵盤シャーシの上面に当接する箇所とが、鍵の前後方向にずれているため、鍵の前部を押鍵した際と鍵の後部を押鍵した際とで、鍵の回転支点が鍵の前後方向において異なり、鍵の回転動作が一定にならず、押鍵操作に違和感が生じるという問題がある。
【０００８】
この発明が解決しようとする課題は、鍵の前部を押鍵しても、鍵の後部を押鍵しても、鍵の回転支点を一定に保ち、屈曲部の耐久性を確保して、鍵の回転動作を安定させて良好に押鍵操作ができる鍵盤装置を提供することである。
【課題を解決するための手段】
【０００９】
この発明は、上記課題を解決するために、次のような構成要素を備えている。
請求項１に記載の発明は、鍵盤シャーシと、後端部が屈曲部を介して前記鍵盤シャーシに固定され、当該屈曲部の屈曲により上下方向に回転可能に取り付けられるとともに、下側に突きだして設けられたハンマー押圧部を有する鍵と、前記鍵盤シャーシに設けられた支持軸に回転可能に取り付けられるとともに、前記ハンマー押圧部と当接する鍵当接部を前部に設けたハンマー部材と、前記鍵の前記屈曲部よりも前記鍵の前側に位置する箇所の前記鍵の下部に設けられ、その下端部が前記鍵盤シャーシに対して摺動可能に当接して支持された第１支持部と、前記鍵の上部に前記第１支持部と対応して設けられ、その上端部が前記鍵盤シャーシに対して摺動可能に当接して保持された第２支持部と、前記鍵盤シャーシの上面に設けられ、前記第１支持部の下端部が摺動可能状態で当接する第１受け部と、前記鍵盤シャーシに取り付けられた上部ケースの前部内面に設けられ、前記第２支持部の上端部が摺動可能な状態で当接する第２受け部と、前記ハンマー押圧部が前記ハンマー部材の前記鍵当接部に当接する箇所よりも前記鍵の前部が押鍵された場合、前記ハンマー押圧部が前記鍵当接部に当接する箇所を支点として前記鍵の後部が押し上げられ、前記第２支持部の上端部が前記第２受け部に押し付けられた状態で、前記屈曲部が屈曲しながら前記第２支持部の上端部を中心に鍵が回転し、前記ハンマー押圧部が前記ハンマー部材の鍵当接部に当接する箇所よりも前記鍵の後部が押鍵された場合、前記ハンマー押圧部が前記鍵当接部に当接する箇所を支点として前記鍵の後部が押し下げられ、前記第１支持部の下端部が前記第１受け部に押し付けられた状態で、前記屈曲部が屈曲しながら前記第１支持部の下端部を中心に鍵が回転することを特徴とする鍵盤装置である。
【００１１】  請求項２に記載の発明は、鍵盤シャーシと、後端部が屈曲部を介して前記鍵盤シャーシに固定され、当該屈曲部の屈曲により上下方向に回転可能に取り付けられるとともに、下側に突きだして設けられたハンマー押圧部を有する鍵と、前記鍵盤シャーシに設けられた支持軸に回転可能に取り付けられるとともに、前記ハンマー押圧部と当接する鍵当接部を前部に設けたハンマー部材と、前記鍵盤シャーシの鍵搭載部と立下り部とに跨る箇所に設けられた開口部内に、前記鍵の前後方向と直交する方向に沿って設けられた軸部と、前記屈曲部よりも前記鍵の前側に位置し、前記屈曲部の前端部に位置する前記鍵の下面に下側に向けて突出して設けられ、前記下側に突出した部分の下部に軸挿入溝が後方に開放されて設けられたフック部と、を備え、前記軸部を回転可能な状態で、前記挿入溝に挿入させることにより、前記ハンマー押圧部が前記鍵当接部に当接する箇所よりも前記鍵の前側が押鍵操作されて、前記ハンマー押圧部が前記鍵当接部に当接する箇所を支点として、当該鍵の後部が押し上げられた場合、及び前記ハンマー押圧部が前記鍵当接部に当接する箇所よりも当該鍵の後側が押鍵操作されて、前記ハンマー押圧部が前記鍵当接部に当接する箇所を支点として、前記鍵の後部が押し下げられた場合のいずれでも、前記鍵は前記軸部を中心に回転することを特徴とする鍵盤装置である。
【発明の効果】
【００１４】
この発明によれば、鍵を押鍵操作して鍵の屈曲部が上下方向に屈曲する際に、鍵の回転支点を鍵回転保持部によって一定に保って、鍵を常に一定の状態で回転させることができる。このため、鍵の前部を押鍵しても、鍵の後部を押鍵しても、屈曲部に対する応力集中を防いで屈曲部の耐久性を高めることができると共に、鍵の回転動作を常に安定させることができ、これにより押鍵操作に違和感が生じることなく、鍵を良好に押鍵操作することができる。
【図面の簡単な説明】
【００１５】
【図１】この発明を鍵盤楽器に適用した実施形態１を示した断面図である。
【図２】図１に示された鍵盤楽器の鍵の配列状態を示した平面図である。
【図３】図１に示された鍵盤楽器において鍵を押鍵操作した状態を示した断面図である。
【図４】この発明を鍵盤楽器に適用した実施形態２を示した断面図である。
【図５】図４に示された鍵盤楽器において鍵を押鍵操作した状態を示した断面図である。
【発明を実施するための形態】
【００１６】
（実施形態１）
以下、図１〜図３を参照して、この発明を鍵盤楽器に適用した実施形態１について説明する。
この鍵盤楽器は、図１および図２に示すように、合成樹脂製の鍵盤シャーシ１と、この鍵盤シャーシ１上にそれぞれ上下方向に回転可能に設けられた複数の鍵２と、この複数の鍵２にそれぞれアクション荷重を付与する複数のハンマー部材３と、この複数のハンマー部材３の回転動作によってそれぞれオン動作する複数のスイッチ部４とを備えている。
【００１７】
鍵盤シャーシ１は、図１に示すように、その前端部（図１では右端部）に前脚部５が底部から上方に突出して設けられた構成になっている。この前脚部５の前側上部には、鍵２の横振れを防ぐための鍵ガイド部６が起立して設けられている。また、前脚部５の後方（図１では左側）に位置する鍵盤シャーシ１の箇所には、中間脚部７が設けられている。
【００１８】
この中間脚部７には、図１に示すように、ゴム足７ａが前脚部５と同じ高さで設けられている。この中間脚部７の後部（図１では左側部）上には、立上り部８が鍵ガイド部６とほぼ同じ高さで起立して設けられている。この立上り部８には、後述するハンマー部材３の前部（図１では右側部）が挿入して上下方向に移動するためのハンマー挿入用の開口部８ａが設けられている。
【００１９】
この立上り部８の上部には、図１に示すように、ハンマー搭載部９が後方（図１では左側）に向けてほぼ水平に設けられている。このハンマー搭載部９の下部には、ハンマー支持部１０が下側に突出して設けられている。このハンマー支持部１０には、ハンマー部材３を回転可能に支持する支持軸１０ａが設けられている。
【００２０】
また、このハンマー搭載部９の後部（図１では左側部）には、図１に示すように、基板搭載部１１が一段低く設けられている。この基板搭載部１１上には、スイッチ基板１２が鍵２の配列方向に沿って連続した状態で取り付けられている。このスイッチ基板１２の下面には、スイッチ部４が各ハンマー部材３にそれぞれ対応して設けられている。
【００２１】
このスイッチ部４は、図１に示すように、ゴムシート１３にドーム状の膨出部１４が膨出形成され、この膨出部１４が基板搭載部１１の開口部１１ａに上側から挿入されて下側に突出した状態で、スイッチ基板１２の下面に設けられている。また、このスイッチ部４は、ドーム状の膨出部１４の内部に一対の可動接点１５が設けられ、この一対の可動接点１５がスイッチ基板１２の下面に設けられた一対の固定接点１６に時間差をもって順次接触することにより、オン信号を出力するように構成されている。
【００２２】
また、基板搭載部１１の後方（図１では左側）に位置する鍵盤シャーシ１の後部には、図１に示すように、鍵搭載部１７が鍵ガイド部６よりも少し高い高さで設けられている。この鍵搭載部１７は、その上面に鍵２の後端部が取り付けられるように構成されている。この鍵搭載部１７の後部には、後脚部１８が底部に向けて垂下されている。
【００２３】
この後脚部１８の下部には、図１に示すように、ハンマー部材３の下限位置を規制する下限ストッパ部１９ａが設けられている。また、この後脚部１８の上部に位置する鍵搭載部１７の下面には、ハンマー部材３の上限位置を規制する上限ストッパ部１９ｂが設けられている。さらに、この鍵盤シャーシ１の後部には、スピーカなどの鍵盤楽器に必要な各種の電子部品（図示せず）が組み込まれる上部ケース２０が、鍵２の後部（図１では左側部）を覆い隠した状態で取り付けられている。
【００２４】
一方、鍵２は、図１に示すように、白鍵と黒鍵とからなっている。ただし、この実施形態１では白鍵のみについて説明する。この鍵２は、図１および図２に示すように、鍵本体２１の後部（図１では左側部）に上下方向に屈曲する肉厚の薄い屈曲部２２が一体に形成され、この屈曲部２２が鍵２の配列方向（図２では左右方向）に連続する連結部２３にそれぞれ連結された構成になっている。
【００２５】
この鍵２は、図２に示すように、連結部２３によって鍵本体２１が音階順に配列されるように構成されている。また、この鍵２は、図１に示すように、連結部２３が鍵盤シャーシ１の鍵搭載部１７上に配置されてビス止めされることにより、鍵本体２１が鍵盤シャーシ１に屈曲部２２の屈曲により上下方向に回転可能に取り付けられるように構成されている。さらに、この各鍵２には、ハンマー部材３をそれぞれ押圧するハンマー押圧部２４が下側に突出して設けられている。
【００２６】
ハンマー部材３は、図１に示すように、ハンマー本体２５と、このハンマー本体２５の後部（図１では左側部）に設けられた錘部２６と、ハンマー本体２５の前側上部（図１では右側上部）に設けられてハンマー本体２５の回転中心となる軸受け部２７と、ハンマー本体２５の前端部（図１では右端部）に設けられた鍵当接部２８と、ハンマー本体２５の中間部に設けられたスイッチ押圧部２９とを備えている。
【００２７】
このハンマー部材３は、図１に示すように、ハンマー本体２５の鍵当接部２８を鍵盤シャーシ１の下側から立上り部８の開口部８ａに挿入させて、ハンマー搭載部９の前側（図１では右側）に突出させ、この状態でハンマー本体２５の軸受け部２７をハンマー搭載部９のハンマー支持部１０の支持軸１０ａに回転可能に取り付けることにより、ハンマー本体２５がハンマー支持部１０の支持軸１０ａを中心に上下方向に回転するように構成されている。
【００２８】
また、このハンマー部材３は、図１に示すように、ハンマー本体２５の軸受け部２７がハンマー支持部１０の支持軸１０ａに回転可能に取り付けられた際に、ハンマー本体２５の鍵当接部２８が鍵２のハンマー押圧部２４のハンマー保持部２４ａに摺動可能に挿入され、この状態で鍵当接部２８が鍵の押鍵操作に応じて鍵２のハンマー押圧部２４によって押し下げられることにより、図３に示すように、ハンマー本体２５がハンマー支持部１０の支持軸１０ａを中心に時計回りに回転するように構成されている。
【００２９】
この場合、ハンマー部材３は、図１に示すように、鍵２が押鍵操作されていない初期状態のときに、ハンマー本体２５が錘２６の重量によってハンマー支持部１０の支持軸１０ａを中心に反時計回りに回転して、ハンマー本体２５の後端部が鍵盤シャーシ１に設けられた下限ストッパ部１９ａに当接することにより、初期位置である下限位置に規制されると共に、鍵当接部２８が鍵２のハンマー押圧部２４を押し上げて、鍵２を初期位置に規制するように構成されている。
【００３０】
また、このハンマー部材３は、図３に示すように、鍵２が押鍵操作されると、鍵２のハンマー押圧部２４によってハンマー本体２５の鍵当接部２８が錘部２６の重量に抗して押し下げられ、これに伴ってハンマー本体２５がハンマー支持部１０の支持軸１０ａを中心に時計回りに回転することにより、鍵２にアクション荷重を付与するように構成されている。
【００３１】
この場合、ハンマー部材３は、図３に示すように、ハンマー本体２５がハンマー支持部１０の支持軸１０ａを中心に時計回りに回転すると、ハンマー本体２５のスイッチ押押圧部２９がスイッチ基板１２のスイッチ部４を押圧してスイッチ動作させ、この後、ハンマー本体２５の後端部が鍵盤シャーシ１の鍵搭載部１７の下面に設けられた上限ストッパ部１９ｂに当接して、ハンマー本体２５の上限位置が規制され、これにより鍵２の下限位置を規制するように構成されている。
【００３２】
ところで、鍵２は、図１に示すように、その後部（図１では左側部）に設けられた屈曲部２２の屈曲により、上下方向に回転する際に、その回転支点を一定に保つための鍵回転保持部３０を備えている。この鍵回転保持部３０は、屈曲部２２よりも鍵２の前側に位置する箇所の鍵本体２１の下部に設けられ、その下端部３１ａが鍵盤シャーシ１に対して摺動可能に当接して支持された第１支持部３１と、鍵本体２１の上部に第１支持部３１と対応して設けられ、その上端部３２ａが鍵盤シャーシ１に対して摺動可能に当接して保持された第２支持部３２とを備えている。
【００３３】
この場合、第１支持部３１は、図１および図３に示すように、屈曲部２２の前端部（図１では右端部）に位置する鍵本体２１の後端部の下面に、その下側に向けてほぼ垂直に突出して形成されている。この第１支持部３１の下端部３１ａは、鍵盤シャーシ１の鍵搭載部１７の上面に設けられた第１受け部３３上に摺動可能な状態で当接するように構成されている。
【００３４】
また、第２支持部３２は、図１および図３に示すように、屈曲部２２の前端部（図１では右端部）に位置する鍵本体２１の後端部の上面に、その上側に向けてほぼ垂直に突出して形成されている。この第２支持部３２の上端部３２ａは、鍵盤シャーシ１に取り付けられた上部ケース２０における前部（図１では右側部）の内面に設けられた第２受け部３４に摺動可能に当接するように構成されている。
【００３５】
次に、このような鍵盤楽器の作用について説明する。
まず、鍵２が押鍵操作されていない初期状態のときには、図１に示すように、ハンマー部材３がその錘部２６の重量によってハンマー本体２５が鍵盤シャーシ１のハンマー支持部１０の支持軸１０ａを中心に反時計回りに回転し、ハンマー本体２５の後端部が鍵盤シャーシ１の後脚部２１８の下部に設けられた下限ストッパ部１９ａに当接して初期位置である下限位置に規制されている。
【００３６】
この状態では、ハンマー部材３のスイッチ押圧部２９がスイッチ基板１２に設けられたスイッチ部４から下側に離れていることにより、スイッチ部４のドーム状の膨出部１４内に設けられた一対の可動接点１５が、スイッチ基板１２の下面に設けられた一対の固定接点１６から離れている。これにより、スイッチ部４は、オフ状態になっている。
【００３７】
また、このときには、図１に示すように、鍵２のハンマー押圧部２４がハンマー部材３の鍵当接部２８によって押し上げられていることにより、鍵２の屈曲部２２および鍵２の鍵回転保持部３０によって支持された状態で、鍵本体２１の前端部が押し上げられて初期位置である上限位置に規制されている。
【００３８】
この状態で、鍵２が押鍵操作された際には、図１および図３に示すように、鍵２の屈曲部２２が屈曲しながら鍵２の鍵回転保持部３０を中心に鍵本体２１が時計回りに回転し、鍵２のハンマー押圧部２４がハンマー部材３の鍵当接部２８を押し下げる。すると、鍵２のハンマー押圧部２４がハンマー部材３の鍵当接部２８をハンマー本体２５の錘部２６の重量に抗して押し下げ、ハンマー本体２５が鍵盤シャーシ１のハンマー支持部１０の支持軸１０ａを中心に時計回りに回転し、鍵２にアクション荷重が付与される。
【００３９】
このように鍵２が押鍵操作されて鍵本体２１が時計回りに回転する際に、鍵２のハンマー押圧部２４がハンマー部材３の鍵当接部２８に当接する箇所よりも鍵２の前側に位置する鍵２の前部が押鍵操作されると、鍵２のハンマー押圧部２４がハンマー部材３の鍵当接部２８に当接する箇所を支点として、鍵本体２１の後部が押し上げられる。このため、鍵２の鍵回転保持部３０の第２支持部３２の上端部３２ａが上部ケース２０に設けられた第２受け部３４に押し付けられる。
【００４０】
この状態で、鍵２の屈曲部２２が屈曲しながら第２支持部３２の上端部３２ａを中心に鍵本体２１が時計回りに回転すると共に、第１支持部３１の下端部３１ａが鍵盤シャーシ１の鍵搭載部１７上に設けられた第１受け部３３に当接した状態で第１受け部３３の上面に沿って少し後側に摺動する。これにより、鍵２は一定の状態で安定して回転する。
【００４１】
また、鍵２のハンマー押圧部２４がハンマー部材３の鍵当接部２８に当接する箇所よりも鍵２の後側に位置する鍵２の後部が押鍵操作されると、鍵２のハンマー押圧部２４がハンマー部材３の鍵当接部２８に当接する箇所を支点として、鍵本体２１の後部が押し下げられる。このため、鍵２の鍵回転保持部３０の第１支持部３１の下端部３１ａが鍵盤シャーシ１の鍵搭載部１７上に設けられた第１受け部３３に押し付けられる。
【００４２】
この状態で、屈曲部２２が屈曲しながら第１支持部３１の下端部３１ａを中心に鍵本体２１が時計回りに回転すると共に、第２支持部３２の上端部３２ａが上部ケース２０に設けられた第２受け部３４に当接した状態で第２受け部３４の下面に沿って少し前側に摺動する。これにより、鍵２は一定の状態で安定して回転する。
【００４３】
このように、鍵２が押鍵操作されてハンマー部材３が回転すると、図３に示すように、ハンマー部材３のスイッチ押圧部２９が鍵盤シャーシ１の基板搭載部１１に設けられたスイッチ基板１２のスイッチ部４を押圧し、スイッチ部４をオン動作させる。すなわち、スイッチ部４は、ハンマー部材３のスイッチ押圧部２９によってドーム状の膨出部１４が押圧されると、潰れように弾性変形して、内部の一対の可動接点１５がスイッチ基板１２の一対の固定接点１６に時間差をもって順次接触することにより、スイッチ信号を出力する。
【００４４】
そして、鍵２が更に押されてハンマー部材３が更に回転すると、図３に示すように、ハンマー本体２５の後端部が鍵盤シャーシ１の鍵搭載部１７に設けられた上限ストッパ部１９ｂに当接し、ハンマー部材３の時計回り方向の回転が停止されて、ハンマー部材３が上限位置に規制されると共に、鍵２の時計回り方向への回転も停止されて、鍵２が下限位置に規制される。
【００４５】
この後、ハンマー部材３は、ハンマー本体２５の錘部２６の重量によってハンマー支持部１０の支持軸１０ａを中心に反時計周りに回転し、図１に示すように、初期位置に戻る。このときには、ハンマー部材３がその錘部２６の重量によってハンマー本体２５が鍵盤シャーシ１のハンマー支持部１０の支持軸１０ａを中心に反時計回りに回転し、ハンマー本体２５の後端部が鍵盤シャーシ１の後脚部１８の下部に設けられた下限ストッパ部１９ａに当接して初期位置である下限位置に規制される。
【００４６】
また、このときには、ハンマー部材３のスイッチ押圧部２９がスイッチ基板１２に設けられたスイッチ部４から下側に離れるので、スイッチ部４のドーム状の膨出部１４内に設けられた一対の可動接点１５が、スイッチ基板１２の下面に設けられた一対の固定接点１６から離れて、スイッチ部４がオフ状態になる。
【００４７】
さらに、このときには、図１に示すように、鍵２のハンマー押圧部２４がハンマー部材３の鍵当接部２８によって押し上げられることにより、屈曲部２２が屈曲しながら鍵２の鍵回転保持部３０を中心に鍵本体２１が反時計回りに回転し、鍵本体２１の前端部が押し上げられて初期位置である上限位置に規制される。
【００４８】
このように、この鍵盤楽器によれば、鍵盤シャーシ１と、この鍵盤シャーシ１上に配置され、且つ後部に位置する屈曲部２２の屈曲により上下方向に回転する鍵２と、この鍵２が上下方向に回転する際に鍵２の回転支点を一定に保つための鍵回転保持部３０とを備えていることにより、鍵２の前部を押鍵しても、鍵２の後部を押鍵しても、鍵回転保持部３０によって鍵２の回転支点を一定に保って、鍵２を常に一定の状態で回転させることができ、これにより屈曲部２２の耐久性を確保して、鍵２の回転動作を安定させて良好に押鍵操作をすることができる。
【００４９】
すなわち、鍵回転保持部３０は、屈曲部２２よりも鍵２の前側に位置する箇所の鍵２の下部に設けられ、その下端部３１ａが鍵盤シャーシ１に対して摺動可能に当接して支持された第１支持部３１と、鍵２の上部に第１支持部３１と対応して設けられ、その上端部３２ａが鍵盤シャーシ１に対して摺動可能に当接して保持された第２支持部３２とを備えていることにより、鍵２が押鍵操作されて回転する際に、第１支持部３１の下端部３１ａまたは第２支持部３２の上端部３２ａを中心に鍵２を回転させることができる。
【００５０】
これにより、鍵２の回転支点を一定に保つことができるので、鍵２を常に一定の状態で回転させることができる。このため、鍵２の前部を押鍵しても、また鍵２の後部を押鍵しても、屈曲部２２の屈曲変形を一定に保つことができるので、屈曲部２２に対する応力集中を防いで、屈曲部２２の耐久性を高めることができると共に、鍵２の回転動作を常に安定させることができ、これにより押鍵操作に違和感が生じることなく、鍵２を良好に押鍵操作することができる。
【００５１】
この場合、第１支持部３１の下端部３１ａは、鍵盤シャーシ１の鍵搭載部１７上に設けられた第１受け部３３に摺動可能な状態で当接し、第２支持部３２の上端部３２ａは、鍵盤シャーシ１に取り付けられた上部ケース２０の内面に設けられた第２受け部３４の下面に摺動可能に当接する構成であるから、鍵２が押鍵操作されて回転する際に、鍵２の前部を押鍵しても、また鍵２の後部を押鍵しても、屈曲部２２に大きな負荷が加わらず、鍵２の回転支点を一定に保つことができ、これにより屈曲部２２に対する応力集中を防いで、鍵２の回転動作を常に安定させることができる。
【００５２】
例えば、鍵２の前部が押鍵操作されて鍵本体２１の後部が押し上げられる際には、第２支持部３２の上端部３２ａが上部ケース２０の内面に設けられた第２受け部３４に当接した状態で、第２支持部３２がその上端部３２ａを中心に回転すると共に、第１支持部３１の下端部３１ａが鍵盤シャーシ１上の第１受け部３３の上面に当接した状態で摺動するので、屈曲部２２に大きな負荷が加わらず、鍵２の回転支点を一定に保つことができ、これにより屈曲部２２に対する応力集中を防いで、鍵２の回転動作を常に安定させることができる。
【００５３】
また、鍵２の後部が押鍵操作されて鍵本体２１の後部が押し下げられる際には、第１支持部３１の下端部３１ａが鍵盤シャーシ１上の第１受け部３３に当接した状態で、第１支持部３１がその下端部３１ａを中心に回転すると共に、第２支持部３２の上端部３２ａが上部ケース２０の内面に設けられた第２受け部３４の下面に当接した状態で摺動するので、屈曲部２２に大きな負荷が加わらず、鍵２の回転支点を一定に保つことができ、これにより屈曲部２２に対する応力集中を防いで、鍵２の回転動作を常に安定させることができる。
【００５４】
さらに、この鍵盤楽器では、鍵盤シャーシ１に、鍵２の押鍵操作に伴って回転して鍵２にアクション荷重を付与するハンマー部材３が設けられていることより、鍵２の押鍵強さに応じてハンマー部材３の回転速度が異なるため、鍵２の押鍵強さに応じて鍵２に異なる強さのアクション荷重を付与することができ、これによりアコースティックピアノの鍵タッチ感に近似した鍵タッチ感を得ることができる。
【００５５】
この場合、鍵２の前部が押鍵操作された際には、図１において、鍵２のハンマー押圧部２４がハンマー部材３の鍵当接部２８に当接する箇所を支点として、鍵本体２１の後部が押し上げられ、鍵２の鍵回転保持部３０の第２支持部３２の上端部３２ａが上部ケース２０に設けられた第２受け部３４に押し付けられる。
【００５６】
この状態で、鍵２の屈曲部２２が屈曲しながら第２支持部３２の上端部３２ａを中心に鍵本体２１が時計回りに回転すると共に、第１支持部３１の下端部３１ａが鍵盤シャーシ１の鍵搭載部１７上に設けられた第１受け部３３に当接した状態で第１受け部３３の上面に沿って摺動するので、ハンマー部材３によって屈曲部２２に大きな負荷が加わらず、ハンマー部材３の影響を受けずに、鍵２の回転支点を一定に保つことができ、これにより屈曲部２２に対する応力集中を防いで、鍵２を安定した状態で良好に回転させることができる。
【００５７】
また、鍵２の後部が押鍵操作された際には、図１において、鍵２のハンマー押圧部２４がハンマー部材３の鍵当接部２８に当接する箇所を支点として、鍵本体２１の後部が押し下げられ、鍵２の鍵回転保持部３０の第１支持部３１の下端部３１ａが鍵盤シャーシ１の鍵搭載部１７上に設けられた第１受け部３３に押し付けられる。
【００５８】
この状態で、鍵２の屈曲部２２が屈曲しながら第１支持部３１の下端部３１ａを中心に鍵本体２１が時計回りに回転すると共に、第２支持部３２の上端部３２ａが上部ケース２０に設けられた第２受け部３４に当接した状態で第２受け部３４の下面に沿って摺動するので、ハンマー部材３によって屈曲部２２に大きな負荷が加わらず、ハンマー部材３の影響を受けずに、鍵２の回転支点を一定に保つことができ、これにより屈曲部２２に対する応力集中を防いで、鍵２を安定した状態で良好に回転させることができる。
【００５９】
（実施形態２）
次に、図４および図５を参照して、この発明を鍵盤楽器に適用した実施形態２について説明する。なお、図１〜図３に示された実施形態１と同一部分には同一符号を付して説明する。
この鍵盤楽器は、図４に示すように、鍵２の回転支点を一定に保つための鍵回転保持部４０が実施形態１と異なる構成であり、これ以外は実施形態１とほぼ同じ構成になっている。
【００６０】
すなわち、この鍵回転保持部４０は、図４および図５に示すように、鍵盤シャーシ１に設けられた係止部４１と、屈曲部２２よりも鍵２の前側に位置する箇所の鍵本体２１に設けられて係止部４１に回転可能な状態で係合するフック部４２とを備えている。この場合、鍵盤シャーシ１の鍵搭載部１７における前側（図４では右側）に位置する角部、つまり鍵搭載部１７からその前側に位置する立下り部１７ａとに跨る箇所には、開口部４３が鍵２に対応して設けられている。
【００６１】
この鍵回転保持部４０の係止部４１は、図４および図５に示すように、鍵盤シャーシ１の鍵搭載部１７に設けられた開口部４３内に軸部４４を鍵２の前後方向と直交する方向に沿って設けた構成になっている。また、フック部４２は、屈曲部２２の前端部（図４では右端部）に位置する鍵本体２１の後端部の下面に、その下側に向けて突出して設けられ、この下側に突出した部分の下部に軸挿入溝４２ａが後方に開放されて設けられた構成になっている。
【００６２】
このフック部４２は、図４および図５に示すように、その下部を鍵盤シャーシ１の鍵搭載部１７における前側の立下り部１７ａに対応させると共に、下部の軸挿入溝４２ａを鍵搭載部１７の角部に位置する軸部４４に対応させ、この状態で軸挿入溝４２ａに係止部４１の軸部４４を相対的に移動させて挿入させることにより、軸部４４を回転可能な状態で上下に挟むように構成されている。
【００６３】
次に、このような鍵盤楽器の作用について説明する。
鍵２が押鍵操作されていない初期状態のときには、実施形態１と同様、ハンマー部材３がその錘部２６の重量によってハンマー本体２５が鍵盤シャーシ１のハンマー支持部１０の支持軸１０ａを中心に反時計回りに回転し、ハンマー本体２５の後端部が鍵盤シャーシ１の後脚部２１８の下部に設けられた下限ストッパ部１９ａに当接して初期位置である下限位置に規制されている。
【００６４】
この状態では、ハンマー部材３のスイッチ押圧部２９がスイッチ基板１２に設けられたスイッチ部４から下側に離れていることにより、スイッチ部４は、オフ状態になっている。また、鍵２はハンマー押圧部２４がハンマー部材３の鍵当接部２８によって押し上げられていることにより、鍵２の屈曲部２２および鍵２の鍵回転保持部４０によって支持された状態で、鍵本体２１の前端部が押し上げられて初期位置である上限位置に規制されている。
【００６５】
この状態で、鍵２が押鍵操作された際には、図４および図５に示すように、鍵２の屈曲部２２が屈曲しながら鍵２の鍵回転保持部４０を中心に鍵本体２１が時計回りに回転し、鍵２のハンマー押圧部２４がハンマー部材３の鍵当接部２８を押し下げる。すると、実施形態１と同様、鍵２のハンマー押圧部２４がハンマー部材３の鍵当接部２８をハンマー本体２５の錘部２６の重量に抗して押し下げ、ハンマー本体２５が鍵盤シャーシ１のハンマー支持部１０の支持軸１０ａを中心に時計回りに回転し、鍵２にアクション荷重が付与される。
【００６６】
このように鍵２が押鍵操作されて鍵本体２１が時計回りに回転する際に、鍵２のハンマー押圧部２４がハンマー部材３の鍵当接部２８に当接する箇所よりも鍵２の前側に位置する鍵２の前部が押鍵操作されると、鍵２のハンマー押圧部２４がハンマー部材３の鍵当接部２８に当接する箇所を支点として、鍵本体２１の後部が押し上げられる。このときには、図５に示すように、鍵２が鍵回転保持部４０の軸部４４を中心に上下方向に回転するので、屈曲部２２が鍵本体２１の後部によって押し上げられることがなく、一定の状態で屈曲する。
【００６７】
また、鍵２のハンマー押圧部２４がハンマー部材３の鍵当接部２８に当接する箇所よりも鍵２の後側に位置する鍵２の後部が押鍵操作されると、鍵２のハンマー押圧部２４がハンマー部材３の鍵当接部２８に当接する箇所を支点として、鍵本体２１の後部が押し下げられる。このときにも、図５に示すように、鍵２が鍵回転保持部４０の軸部４４を中心に上下方向に回転するので、屈曲部２２が鍵本体２１の後部によって押し下げられることがなく、一定の状態で屈曲する。
【００６８】
すなわち、鍵回転保持部４０は、鍵２の下側に突出したフック部４２の軸挿入溝４２ａに鍵盤シャーシ１の鍵搭載部１７に設けられた係止部４１の軸部４４が挿入し、この軸部４４を中心に鍵２が上下方向に回転するので、鍵２の前部を押鍵操作しても、また鍵２の後部を押鍵操作しても、鍵２の屈曲部２２が一定の状態で屈曲しながら、鍵２が一定の状態で安定して回転する。
【００６９】
このように、鍵２が押鍵操作されてハンマー部材３が回転すると、図５に示すように、ハンマー部材３のスイッチ押圧部２９が鍵盤シャーシ１の基板搭載部１１に設けられたスイッチ基板１２のスイッチ部４を押圧し、スイッチ部４をオン動作させる。そして、鍵２が更に押されてハンマー部材３が更に回転すると、図５に示すように、ハンマー本体２５の後端部が鍵盤シャーシ１の鍵搭載部１７に設けられた上限ストッパ部１９ｂに当接し、ハンマー部材３が上限位置に規制されると共に鍵２が下限位置に規制される。
【００７０】
この後は、実施形態１と同様、ハンマー部材３は、ハンマー本体２５の錘部２６の重量によってハンマー支持部１０の支持軸１０ａを中心に反時計周りに回転し、図４に示すように、初期位置に戻り、スイッチ部４がオフ状態になると共に、鍵２が初期位置である上限位置に規制される。
【００７１】
このように、この鍵盤楽器によれば、鍵盤シャーシ１と、この鍵盤シャーシ１上に配置され、且つ後部に位置する屈曲部２２の屈曲により上下方向に回転する鍵２と、この鍵２が上下方向に回転する際の回転支点を一定に保つための鍵回転保持部４０とを備えていることにより、鍵２の前部を押鍵しても、鍵２の後部を押鍵しても、鍵回転保持部４０によって鍵２の回転支点を一定に保って、鍵２を常に一定の状態で回転させることができ、これにより屈曲部２２の耐久性を確保して、鍵２の回転動作を安定させて良好に押鍵操作をすることができる。
【００７２】
すなわち、鍵回転保持部４０は、鍵盤シャーシ１の鍵搭載部１７に設けられた係止部４１と、鍵盤２の屈曲部２２よりも鍵２の前側に位置する箇所の鍵本体２１に設けられて鍵搭載部１７の係止部４１に回転可能な状態で係合するフック部４２とを備えていることにより、鍵２が押鍵操作されて回転する際に、鍵搭載部１７の係止部４１を中心に鍵２を回転させることができる。
【００７３】
これにより、鍵２の回転支点を一定に保つことができるので、鍵２を常に一定の状態で上下方向に回転させることができる。このため、鍵２の前部を押鍵しても、また鍵２の後部を押鍵しても、屈曲部２２の屈曲変形を一定に保つことができるので、屈曲部２２に対する応力集中を防いで、屈曲部２２の耐久性を高めることができると共に、鍵２の回転動作を常に安定させることができ、これにより押鍵操作に違和感が生じることなく、鍵２を良好に押鍵操作することができる。
【００７４】
この場合、係止部４１は、鍵２が対応する鍵盤シャーシ１の鍵搭載部１７の箇所に設けられた開口部４３内に軸部４４を鍵２の前後方向と直交する方向に沿って設けた構成であり、フック部４２は、鍵２の下部に突出して設けられ、鍵盤シャーシ１の鍵搭載部１７の開口部４３に挿入して軸部４４を回転可能な状態で上下に挟む構成であることにより、鍵２が押鍵操作されて回転する際に、鍵２のフック部４２が鍵盤シャーシ１の鍵搭載部１７の係止部４１の軸部４４を上下に挟んだ状態で、鍵２を回転させることができる。
【００７５】
このため、鍵２の前部を押鍵しても、また鍵２の後部を押鍵しても、鍵２が鍵盤シャーシ１の鍵搭載部１７に設けられた係止部４１の軸部４４を中心に回転するので、鍵２の回転状態を一定に保つことができる。これにより、屈曲部２２に大きな負荷が加わらず、屈曲部２２を常に一定の状態で屈曲させることができるので、屈曲部２２に対する応力集中を防いで、鍵２の回転動作を常に安定させることができる。
【００７６】
また、この鍵盤楽器においても、鍵盤シャーシ１に、鍵２の押鍵操作に伴って回転して鍵２にアクション荷重を付与するハンマー部材３が設けられていることより、実施形態１と同様、鍵２の押鍵強さに応じてハンマー部材３の回転速度が異なるため、鍵２の押鍵強さに応じて鍵２に異なる強さのアクション荷重を付与することができ、これによりアコースティックピアノの鍵タッチ感に近似した鍵タッチ感を得ることができる。
【００７７】
この場合、鍵２の前部が押鍵操作されて鍵本体２１の後部が押し上げられる際、また鍵２の後部が押鍵操作されて鍵本体２１の後部が押し下げられる際に、鍵搭載部１７の係止部４１の軸部４４を中心に鍵２を回転させることができるので、屈曲部がハンマー部材３の影響を受けることがなく、屈曲部２２に大きな負荷も加わらず、屈曲部２２に対する応力集中を防いで、鍵２の回転支点をほぼ一定に保って、鍵２の回転動作を常に安定させることができる。
【００７８】
なお、上述した実施形態２では、鍵盤シャーシ１の鍵搭載部１７に鍵回転保持部４０の係止部４１を一体に形成した場合について述べたが、これに限らず、例えば鍵回転保持部４０の係止部４１を鍵盤シャーシ１と別に形成して鍵盤シャーシ１の鍵搭載部１７に設けた構成であっても良い。
【００７９】
また、上述した実施形態１、２では、スイッチ基板１２の下面に設けられたスイッチ部４をハンマー部材３のスイッチ押圧部２９が押圧してスイッチ動作するように構成した場合について述べたが、これに限らず、例えばスイッチ部４をスイッチ基板１２の上面に設け、このスイッチ部４に対応する箇所の鍵２にスイッチ押圧部を設け、この鍵２に設けられたスイッチ押圧部でスイッチ部４を押圧してスイッチ動作させるように構成しても良い。
【００８０】
さらに、上述した実施形態１、２では、ハンマー部材３を備えた鍵盤楽器に適用した場合について述べたが、必ずしもハンマー部材３を備えた鍵盤楽器に適用する必要はなく、ハンマー部材３を備えていない鍵盤楽器にも適用することができる。
【符号の説明】
【００８１】
１  鍵盤シャーシ
２  鍵
３  ハンマー部材
４  スイッチ部
１７  鍵搭載部
２０  上部ケース
２１  鍵本体
２２  屈曲部
２３  連結部
２４  ハンマー押圧部
３０、４０  鍵回転保持部
３１  第１支持部
３１ａ  第１支持部の下端部
３２  第２支持部
３２ａ  第２支持部の上端部
３３  第１受け部
３４  第２受け部
４１  係止部
４２  フック部
４２ａ  軸挿入溝
４３  開口部
４４  軸部
【図１】
0005594474.tif 000002
【図２】
0005594474.tif 000003
【図３】
0005594474.tif 000004
【図４】
0005594474.tif 000005
【図５】
0005594474.tif 000006